(57)【要約】【課題】変圧器を用いて各相毎で任意の位相及び任意の大きさの電圧に自在に調整することが可能な信頼性の高い移相電圧調整器を構成する。【解決手段】３相回路ベクトルから任意の一つの相の相電圧ベクトルと他の二つの相ベクトルを合成して一つの相に合成変換した電圧ベクトルを一対とし、同様に他の二つの相について異なる他の二つの相ベクトルを合成し、三対の相電圧ベクトルを取り出して前記３相回路ベクトルと対の構成となる３相合成電圧ベクトルについて、各相ベクトル対の合成電圧ベクトルをタップ巻線を有する励磁変圧器の入力側に接続し、励磁変圧器の出力側をタップ巻線を有する直列変圧器の入力側に接続し、直列変圧器の出力側を前記３相回路の相ベクトルに直列に接続することにより、励磁及び直列変圧器のタップ巻線の調整設定により、３相回路の相電圧ベクトルの位相と大きさを調整して所定の大きさの３相移相電圧を発生させる。【選択図】図１
2007129135.tif 000002
【特許請求の範囲】
【請求項１】
３相回路の３相ベクトルから任意の一つの相の相電圧ベクトルと他の二つの相ベクトルを合成して一つの相に合成変換した電圧ベクトルを一対とし、同様に他の二つの相についてそれぞれ異なる他の二つの相ベクトルを合成して、三対の相電圧ベクトルを取り出して、前記３相回路からなる３相電圧ベクトルと対の構成となる３相合成電圧ベクトルについて、
各相ベクトル対の合成電圧ベクトルを、タップ巻線を有する励磁変圧器の入力側に接続し、
前記励磁変圧器の出力側を、タップ巻線を有する直列変圧器の入力側に接続し、
前記直列変圧器の出力側を前記３相回路の前記相ベクトルに直列に接続することにより、
前記励磁及び直列変圧器のタップ巻線の調整設定により、前記３相回路の相電圧ベクトルの位相と大きさを調整して、所定の大きさの３相移相電圧を発生させることを特徴とする移相電圧調整器。
【請求項２】
１相を構成する３台の単相単巻若しくは単相複巻変圧器であって二次側の終端を中性点端子として接続して構成された変圧器、又は中性点端子付きの３相単巻若しくは３相複巻の３相ＹＹ結線変圧器を用い、前記変圧器の二次側巻線出力から一つの相電圧ベクトル回路と、他の２相の相電圧ベクトルを合成した線間電圧ベクトル回路とを一対とする相・線間電圧ベクトル回路対を各相に対応させて三対の電圧ベクトル回路を取り出すことを特徴とする請求項１に記載の移相電圧調整器。
【請求項３】
Δ−Ｙ結線された３相変圧器若しくは３個の単相変圧器、又はＹ−Δ結線された３相変圧器若しくは３個の単相変圧器を用い、変圧器の一次側及び二次側の巻線比を適宜に設定して相・線間電圧ベクトル回路対を各相に対応させて取り出し、各対の電圧ベクトルを互いに結合して所定の大きさの三相移相電圧を発生させることを特徴とする移相電圧調整器。
【請求項４】
各相・線間電圧ベクトル回路対の内、線間電圧ベクトル回路を予め（９０±θ）度だけ位相をずらし、当該位相のずれた線間電圧ベクトル回路と相電圧ベクトル回路とを線路直列変成器に入力し、移相電圧を変成することを特徴とする請求項１〜３の何れかに記載の移相電圧調整器。
【発明の詳細な説明】
【技術分野】
【０００１】
本発明は、３相交流電圧を任意の位相と電圧に変成して出力する移相電圧調整器に関する。
【背景技術】
【０００２】
電動機などの交流機器に供給する電圧の制御や３相交流系統の連係などに用いられる移相調整器としては、サイリスタ・インバータにより構成されるものと３相変圧器により構成されるものがある。
３相交流電圧の位相を調整する移相巻線付き変圧器としては、例えば図９に示されるように、Ｒ、Ｓ、Ｔの各相に２個の巻線を設けて各々他相の巻線に直列に接続して位相角を持たせる千鳥結線の変圧器や、一次巻線の一部に電圧調整用巻線を設け、Δ形に結線された二次巻線に位相が９０°異なる電圧を誘起して３相電圧を変成する構成のものが知られている（例えば特許文献１参照）。
【０００３】
【特許文献１】特開昭６１−１８４８０７号公報
【発明の開示】
【発明が解決しようとする課題】
【０００４】
サイリスタ・インバータにより構成される移相調整器は、直流短絡防止やインバータ制御システムからなる装置コストがかかるとともに、入力電圧の位相の変動が大きいときには出力電圧にも微細な変動が生じるという問題がある。一方、３相変圧器により構成されるものは、サイリスタによるものよりもコスト的に有利であり、位相の調整も正確に行え、信頼性が高いという利点がある。
然しながら、従来構成のものは、入力電圧の位相を変化させることに伴い出力電圧の大きさが変化するようになっており、移相調整器とは別体の昇圧トランスを調整器の出力端に装備して出力電圧を調整しなければならないものである。
【０００５】
本発明は従来技術の有するこのような問題点に鑑み、変圧器を用いて各相毎で任意の位相及び任意の大きさの電圧に自在に調整することが可能な信頼性の高い移相電圧調整器を構成することを課題とする。
【課題を解決するための手段】
【０００６】
前記課題を解決するための手段を説明するために既知の技術を以下に説明する。
位相を変換して３相交流電圧を変成する手段として、前述の千鳥結線やＹ−Δ結線の変圧器を利用したものの他に、３相電圧から２相電圧への相変換や単相電圧の位相調整などに使用されるスコット結線変圧器を利用したものがある。一方、電圧の位相、異なる位相の二つの電圧を合成することで所望の位相に変換することは可能であることが知られている。
そして、３相交流電圧の位相を調整するにあたり、各相について基準の電圧とこれと位相の異なる電圧とを合成すれば位相を所定の角度に調整することができ、基準の電圧及びこれに合成する電圧を取り出す手段としてスコット結線による電圧変成の原理を変圧器に適用すればよいことが知られている。
【０００７】
例えば、図１に示されるように、Ｒ相、Ｓ相、Ｔ相の各相の入力電圧ＶＲ１、ＶＳ１、ＶＴ１について、スコット結線された変圧器Ｔによって二次側に、Ｒ相についての相電圧ＶＲ２と、これと位相が９０°異なるＳ−Ｔ相間の線間電圧ＶＳＴ２を取り出す。
そして、同図に示される、変成巻線を介して結合された直列変圧器と励磁変圧器に、前記相電圧ＶＲ２と線間電圧ＶＳＴ２を入力して合成することにより、入力電圧ＶＲ１に対して位相を（φ）ずらした出力電圧ＶＲＯが得られる。Ｓ相、Ｔ相においても同様に合成し、位相を調整した３相交流の出力電圧が得られることが知られている。
【０００８】
この電圧ベクトルの位相の合成は以下の（Ａ１）〜（Ａ１１）の関係式により関係付けられていることが知られている。
【０００９】
【数１】
2007129135.tif 000003
【００１０】
３相回路の各相電圧ベクトルとその相以外の２相の線間電圧ベクトルが直交するという以上の関係式（Ａ１）〜（Ａ１１）があることから、本発明では、３相回路の３相ベクトルから任意の一つの相の相電圧ベクトルと他の二つの相ベクトルを合成して一つの相に合成変換した電圧ベクトルを一対とし、同様に他の二つの相についてそれぞれ異なる他の二つの相ベクトルを合成して、三対の相電圧ベクトルを取り出して、前記３相回路からなる３相電圧ベクトルと対の構成となる３相合成電圧ベクトルについて、各相ベクトル対の合成電圧ベクトルを、タップ巻線を有する励磁変圧器の入力側に接続し、前記励磁変圧器の出力側を、タップ巻線を有する直列変圧器の入力側に接続し、前記直列変圧器の出力側を前記３相回路の前記相ベクトルに直列に接続することにより、前記励磁及び直列変圧器のタップ巻線の調整設定により、前記３相回路の相電圧ベクトルの位相と大きさを調整して、所定の大きさの３相移相電圧を発生させる構成の移相電圧調整器を利用した。
【００１１】
そこで、上記相電圧と線間電圧が同時に取り出せるスコット結線されたスコット変圧器を用いる。
例えば、１相を構成する３台の単相単巻若しくは単相複巻変圧器であって二次側の終端を中性点端子として接続して構成された変圧器、又は中性点端子付きの３相単巻若しくは３相複巻の３相ＹＹ結線変圧器を用い、前記変圧器の二次側巻線出力から一つの相電圧ベクトル回路と、他の２相の相電圧ベクトルを合成した線間電圧ベクトル回路とを一対とする相・線間電圧ベクトル回路対を各相に対応させて三対の回路を取り出すことができる。
【００１２】
すなわち、前記ＹＹ結線された３相の単巻変圧器の構成により、図２に示される如く、一次側に入力される電圧ＶＲ１、ＶＳ１、ＶＴ１によって、二次側に巻線比に応じた相電圧ＶＲ２、ＶＳ２、ＶＴ２が誘導され、また、二次側で線間電圧ＶＳＴ、ＶＲＳ、ＶＴＲを取り出すことができる。
そして、これら二次側に誘導された各相電圧と線間電圧は、各相に対応させて配された線路直列変圧器と励磁変圧器によって位相合成がなされる。前記図１に示された如く、各線路直列変圧器の供給電源入力端に相電圧ベクトル側が、励磁変圧器の供給電源入力端には線間電圧ベクトル側がそれぞれ接続され、両入力線路上に配されたタップ付き可変変成器によって合成する電圧の大きさと位相の調整を行って、所定の大きさの３相の移相電圧を変成するようになっている。
【００１３】
ここで、直列変圧器及び励磁変圧器を用いた相電圧と線間電圧のベクトル合成は、図３のベクトル合成図の如く表すことができる。
すなわち、同図において、Ｒ、Ｓ、Ｔはそれぞれ変圧器二次側に誘導された相電圧ベクトル、ＥＴＳは二次側のＴ相、Ｓ相間の線間電圧ベクトルである。直列変圧器で合成される線間電圧ベクトルＥＴＳは可変変成器で大きさがＥＲの電圧にｎ倍に調整され、これと相電圧ベクトルＲとで変成電圧Ａが合成され、さらに変成電圧Ａの大きさをＤだけ補償して、相電圧Ｒに対して位相φだけ変位した移相電圧Ｒφがベクトル合成によって生成されることとなる。
【００１４】
図３に示された電圧のベクトル合成は、以下の関係式によって証明される。
【００１５】
【数２】
2007129135.tif 000004
【００１６】
複巻や３巻の変圧器で相・線間電圧ベクトル対を取り出す場合、例えば図４に示されるように、一次側の相電圧ＶＲ１、ＶＳ１、ＶＴ１に対して、二次側に誘導される相電圧ＶＲ２、ＶＳ２、ＶＴ２と、同じく二次側の誘導相電圧間から取り出せる線間電圧ＶＲ２Ｓ２、ＶＳ２Ｔ２、ＶＴ２Ｒ２とを合成し、或いは一次側の例えば相電圧同士を合成してなる電圧ＶＲ１Ｓ１、ＶＳ１Ｔ１、ＶＴ１Ｒ１と前記各誘導電圧とを各相間で対応をとった適宜な組み合わせで合成することで、所望の移相電圧を変成することが可能である。
【００１７】
また、本発明は、Δ−Ｙ結線された３相変圧器若しくは３個の単相変圧器、又はＹ−Δ結線された３相変圧器若しくは３個の単相変圧器を用い、変圧器の一次側及び二次側の巻線比を適宜に設定して相・線間電圧ベクトル回路対を各相に対応させて取り出し、各対の電圧ベクトルを互いに結合して所定の大きさの三相移相電圧を発生させるように移相電圧調整器を構成した。
【００１８】
すなわち、図５に示されたＹ結線回路をΔ結線回路に変換する場合も電圧ベクトル図においても同様に、相電圧（ＶＲ１、ＶＳ１、ＶＴ１）を線間電圧（ＶＲ２Ｓ２、ＶＳ２Ｔ２、ＶＴ２Ｒ２）を変換する際に電圧の大きさは変わるが、一次側と二次側の巻線を適宜な割合に設定することにより、入力電圧と同じ大きさで出力電圧を変成することができる。また、Ｙ接続の一辺を（√３）倍し、これを（ａ：ｂ＝√３：３−√３）に分割した点を中性点とすることで等ＹΔ変換が可能となる。
また、同図に示されたΔ結線回路をＹ結線回路に変換する場合の電圧ベクトル図においても同様に、線間電圧（ＶＲ１Ｓ１、ＶＳ１Ｔ１、ＶＴ１Ｒ１）を相電圧（ＶＲ２、ＶＳ２、ＶＴ２）に変換する際に、一次側と二次側の巻線を適宜な割合に設定することにより、入力電圧と同じ大きさで出力電圧を変成することができ、また、Δ接続の一辺を（ａ：ｂ＝√３：３−√３）に分割した（√３）分を中性点とすることで等ΔＹ変換が可能となる。
【００１９】
さらに前記構成の変圧器から取り出される各対の電圧ベクトルを、前記直列変圧器及び励磁変圧器でベクトル合成し、両変圧器のタップ巻線を適宜に設定して、位相と大きさが適宜に調整された移相電圧を得ることが可能である。
例えば図６に示されるように、線間電圧ベクトルＶＲ１Ｓ１、ＶＳ１Ｔ１、ＶＴ１Ｒ１について、それぞれの電圧調整として、ＶＴ１Ｒ１からＶＢ−Ｔ２Ｒ２を変成し、一方、ＶＳ１Ｔ１からＶＡ−Ｓ２Ｔ２を変成し、それら変成したＶＢ−Ｔ２Ｒ２とＶＡ−Ｓ２Ｔ２を合成して、相電圧ベクトルＶＲ２をつくる。
同様に、ＶＳ１Ｔ１からＶＢ−Ｓ２Ｔ２を変成し、一方、ＶＲ１Ｓ１からＶＡ−Ｒ２Ｓ２を変成し、それら変成したＶＢ−Ｓ２Ｔ２とＶＡ−Ｒ２Ｔ２を合成して、相電圧ベクトルＶＴ２をつくる。
さらに、ＶＲ１Ｓ１からＶＡ−Ｒ２Ｓ２を変成し、一方、ＶＳ１Ｔ１からＶＢ−Ｓ２Ｔ２を変成し、それら変成したＶＡ−Ｒ２Ｓ２とＶＢ−Ｓ２Ｔ２を合成して、相電圧ベクトルＶＳ２をつくる。
これにより、相電圧ベクトルＶＲ２、相電圧ベクトルＶＳ２、相電圧ＶＴ２から３相電圧ベクトルがつくり出せるので、それら相電圧ベクトルＶＲ２とΔ線間電圧ＶＳ１Ｔ１、ＶＳ２とΔ線間電圧ＶＴ１Ｒ１、ＶＴ２とΔ線間電圧ＶＲ１Ｓ１の相電圧と線間電圧の直角性を利用して、上述した方法で移相電圧調整器を構成することができる。なお、上述したＶＡベクトル系は線間ベクトルであるので、各相間の平行位置から等方に取り出すことが望ましい。
【００２０】
また、各相・線間電圧ベクトル対の内、線間電圧ベクトルを予め（９０±θ）度だけ位相をずらし、当該位相のずれた線間電圧ベクトルと相電圧ベクトルとを線路直列変成器に入力し、移相電圧が変成されるように構成してもよい（請求項４）。
【００２１】
この場合の相電圧と線間電圧のベクトル合成は、図７のベクトル合成図の如く表すことができる。
同図において、Ｔ相とＳ相の線間電圧ＥＴＳを変成器のタップの調整などによって位相を（θ）ずらし、位相をずらし、大きさを調整した線間電圧ベクトルＥＲと相電ベクトルＲが線路直流変圧器に入力されて変成電圧Ａが合成され、さらに変成電圧Ａの大きさをＤだけ調整して、相電圧Ｒに対して位相φだけ変位した移相電圧Ｒφがベクトル合成によって生成されることとなる。
【００２２】
図７に示された電圧のベクトル合成は、以下の関係式によって証明される。
【００２３】
【数３】
2007129135.tif 000005
【００２４】
なお、本発明の移相電圧調整器において、直列変圧器への相・線間電圧ベクトルは、変成供給電源端子に線間電圧ベクトル側、線路供給電源端子に相電圧ベクトル側が接続されて移相電圧の変成がなされるが、発生させる移相調整電圧の大きさなどに応じて両電圧ベクトル接続を切り替え、変成供給電源端子に相電圧ベクトル側、線路供給電源端子に線間電圧ベクトル側を接続してもよい。
【発明を実施するための最良の形態】
【００２５】
本発明の好適な一実施形態を図面を参照して説明する。
前記図３に示された電圧をベクトル合成する移相電圧調整器の一例を図８に示す。同図は、３相ＹＹ結線変圧器の二次側に誘導される三対の相電圧と線間電圧の内で、Ｒ相の相電圧ＶＲと、Ｓ相とＴ相の線間電圧ＶＳＴをベクトル合成する直列変圧器と励磁変圧器を示している。
なお、図示されないが、他の二対の相・線間電圧である、Ｔ相の相電圧ＶＴとＳ相とＲ相の線間電圧ＶＳＲ、Ｓ相の相電圧ＶＳとＲ相とＴ相の線間電圧ＶＲＴのベクトル合成も図示した回路によって同様に行われる。
【００２６】
同図において、直列変圧器の供給電源端子ａ−ｂには変成器Ｔ１、励磁変圧器の供給電源端子ｆ−ｇにはそれぞれ変成器Ｔ１、Ｔ２が接続され、両変成器を介して相間電圧ＶＲと線間電圧ＶＳＴが入力される。両変圧器は変成器Ｔ５により結合されている。また、変成器Ｔ２には、入力側にタップ付巻線付きの可変変成器Ｔ３が接続され、変成器Ｔ２で誘導出力される線間電圧ＶＳＴの位相を、変成器Ｔ３のタップを適宜に設定して調整できるようになっている。また、調整電圧出力端子ｃ−ｄにもタップ巻線付き可変変成器Ｔ４が接続され、移相電圧の出力を適宜な大きさに調整できるようになっている。
【００２７】
そして、供給電源端子ｆ−ｇに誘起される線路間電圧ＶＳＴを変成器Ｔ３のタップで位相を調整し、これと供給電源端子ａ−ｂに誘起される相電圧ＶＲを変成器Ｔ５によりベクトル合成して適宜な移相電圧に変成し、さらに変成器Ｔ４で電圧補償をし、位相及び電圧を適宜に調整した移相調整電圧ＶＲＯを取り出せるようになっている。
これによれば、出力電圧の安定化回路が不要となり、また、予め移相角と電圧をバイアスすることで、位相と電圧の調整を容易に行うことが可能である。
【００２８】
なお、供給電源端子ａ−ｂと供給電源端子ｆ−ｇには、３相ＹＹ結線変圧器から取り出すことのできる相電圧と線間電圧を適宜に合成した電圧ベクトルを入力することができ、合成電圧ベクトル同士を直流変圧器で合成して位相と調整した所望の大きさの移相電圧を得ることが可能である。
【図面の簡単な説明】
【００２９】
【図１】スコット結線変圧器による位相の異なる電圧の合成を説明するための図である。
【図２】単相単巻変圧器を用いて本発明の調整器を構成する場合の結線図である。
【図３】バイアスを調整して電圧合成する場合のベクトル図である。
【図４】複巻変圧器を用いて本発明の調整器を構成する場合の合成電圧のベクトル図である。
【図５】３相電圧をΔ―Ｙ、Ｙ―Δ変換する場合の電圧のベクトル図である。
【図６】線間電圧から相電圧を合成して本発明の調整器を構成する場合の合成電圧のベクトル図である。
【図７】線間電圧に位相の傾きを与えて電圧合成する場合のベクトル図である。
【図８】本発明の一実施形態の調整器の回路図である。
【図９】千鳥結線による移相巻線付き変圧器の構成と電圧ベクトル合成図である。
【符号の説明】
【００３０】
Ｔ，Ｔ１〜Ｔ５  変成器、ＶＲ１，ＶＳ１，ＶＴ１  入力相電圧、ＶＲ２，ＶＳ２，ＶＴ２  二次相電圧、ＶＲＳ，ＶＳＴ，ＶＴＲ  線路間電圧、ＶＲＯ  移相調整電圧
【図１】
2007129135.tif 000006
【図２】
2007129135.tif 000007
【図３】
2007129135.tif 000008
【図４】
2007129135.tif 000009
【図５】
2007129135.tif 000010
【図６】
2007129135.tif 000011
【図７】
2007129135.tif 000012
【図８】
2007129135.tif 000013
【図９】
2007129135.tif 000014